(57)【要約】【課題】使用利便性がより向上した尿濡れを通知するとともに尿を検査するシステムを提供する。【解決手段】検知ユニット２は、湿度センサ２２とこれを保持するホルダー２１とを有し、吸収性物品の濡れを検知すると濡れ検知信号を発信する。クリップ３は、ホルダー２１に固定される第１の部位３１と、第１の部位３１の一端から折り返すように湾曲している第２の部位３２と、第２の部位３２から延伸する第３の部位３３とを有し、吸収性物品の外側に第３の部位３３を、内側に第１の部位３１が配置されるように吸収性物品を挟んで検知ユニット２を吸収性物品の内側に固定する。通知ユニットは、濡れ検知信号を受信すると吸収性物品の濡れを外部に通知する。検査ユニット５は、ホルダー２１に取り外し可能に設置され、吸収性物品の内側に配置されるシート５１と、シート５１に配置されていて尿を検査する尿検査パッチ５２とを有する。【選択図】図２
2016182336.tif 000002
【特許請求の範囲】
【請求項１】
着用されると内側が着用者に面して該内側から前記着用者の尿を吸収する吸収性物品において用いられ、尿濡れを通知するとともに尿を検査するシステムであって、
前記吸収性物品の濡れを検知する湿度センサと、前記湿度センサを保持するように構成されたホルダーと、前記湿度センサに電気的に連結されたプロセッサと、前記プロセッサに電気的に連結された無線トランスミッタと、前記湿度センサ、前記プロセッサ及び前記無線トランスミッタを囲んで収めるケーシングと、を有し、前記湿度センサが前記吸収性物品の濡れを検知すると、前記プロセッサが前記無線トランスミッタを駆動して濡れ検知信号を無線発信するように構成された検知ユニットと、
前記ホルダーに取り外し可能に固定される第１の部位と、前記第１の部位の一端から折り返すように湾曲している第２の部位と、前記第２の部位の前記第１の部位から離れた端から延伸する第３の部位とを有し、前記第３の部位を前記吸収性物品の外側に配置し、前記第１の部位を前記ホルダーに固定するとともに前記吸収性物品の内側に配置して前記吸収性物品を前記第３の部位と前記第１の部位との間に挟みこむようにして前記検知ユニットを前記吸収性物品の内側に固定するように構成されたクリップと、
前記検知ユニットの前記無線トランスミッタが発する信号を受信する無線レシーバと、前記無線レシーバに電気的に連結されたコントローラと、前記コントローラに電気的に連結された通知モジュールとを有し、前記コントローラが前記無線レシーバを介して前記濡れ検知信号を受信すると、前記コントローラが前記通知モジュールを駆動して前記吸収性物品の濡れを外部に通知するように構成された通知ユニットと、
前記ホルダーに取り外し可能に設置され、前記吸収性物品の内側に配置されるシートと、前記シートに配置されていて尿を検査する尿検査パッチとを有する検査ユニットと、
を備えることを特徴とする、尿濡れを通知するとともに尿を検査するシステム。
【請求項２】
前記検知ユニットは、前記湿度センサ、前記プロセッサ及び前記無線トランスミッタに電力を提供する電池を更に有することを特徴とする、請求項１に記載の尿濡れを通知するとともに尿を検査するシステム。
【請求項３】
前記検知ユニットの前記ホルダーは、板状体と、前記板状体の周辺を囲むように形成された保持壁とを有するとともに、前記板状体と前記保持壁とに囲まれている保持空間と、前記保持壁に形成されて前記保持空間と前記ホルダーの外部とを連通している開口とが設けられており、
前記検査ユニットの前記シートは可撓性を有する材料から構成されているとともに、前記ホルダーの前記開口から前記保持空間に挿入される挿入部と、前記挿入部が前記保持空間に挿入された際に前記開口から前記ホルダーの外部に突き出るように前記挿入部から延伸して形成された突出部とを有し、前記尿検査パッチは、前記突出部に少なくとも１つ配置されており、
前記湿度センサは前記ホルダーの前記保持空間において前記板状体と前記保持壁とに保持され、
前記シートの前記挿入部が前記保持空間に挿入されている状態で前記湿度センサが前記ホルダーに保持されると、前記シートの前記挿入部が前記湿度センサと前記板状体との間に挟持される、
ことを特徴とする、請求項１又は２に記載の尿濡れを通知するとともに尿を検査するシステム。
【請求項４】
前記開口は、前記保持壁を貫通するように形成された貫通孔である、ことを特徴とする請求項３に記載の尿濡れを通知するとともに尿を検査するシステム。
【請求項５】
前記ホルダーの前記保持壁は、互いに間隔を空けて前記板状体の周辺に設けられた複数の壁部で構成され、前記開口は、隣り合う２つの前記壁部の間の隙間である、ことを特徴とする請求項３に記載の尿濡れを通知するとともに尿を検査するシステム。
【請求項６】
前記検査ユニットは、前記シートの前記突出部の前記挿入部から離れた端に被せられるカバーを更に有し、前記カバーはシリコーンで構成されているとともに角が丸みを帯びた形状を有する、ことを特徴とする請求項３乃至５のいずれか一項に記載の尿濡れを通知するとともに尿を検査するシステム。
【請求項７】
前記シートの前記突出部に複数の前記尿検査パッチが互いに間隔を空けて配置されている、ことを特徴とする請求項３乃至６のいずれか一項に記載の尿濡れを通知するとともに尿を検査するシステム。
【請求項８】
前記検知ユニットは、前記電池及び前記プロセッサにそれぞれ電気的に連結された電池残量計測器を更に有し、前記電池の残量が所定量以下であることを前記電池残量計測器が計測すると、前記プロセッサが前記無線トランスミッタを駆動して電池残量不足信号を無線発信するように更に構成され、
前記通知ユニットは、前記コントローラが前記無線レシーバを介して前記電池残量不足信号を受信すると、前記コントローラが前記通知モジュールを駆動して前記電池の残量が所定量以下であることを外部に通知するように更に構成されている、ことを特徴とする請求項２に記載の尿濡れを通知するとともに尿を検査するシステム。
【請求項９】
前記検知ユニットはリード線を更に有し、前記リード線は一端が前記湿度センサに連結され、他端がプラグとして前記ケーシングに挿し込まれて前記プロセッサと連結されている、ことを特徴とする請求項８に記載の尿濡れを通知するとともに尿を検査するシステム。
【請求項１０】
前記クリップの前記第２の部位に被さるように設置された位置決め部材を更に備え、前記位置決め部材にはガイド溝が設けられており、前記リード線は前記ガイド溝に嵌め込まれている、ことを特徴とする請求項９に記載の尿濡れを通知するとともに尿を検査するシステム。
【発明の詳細な説明】
【技術分野】
【０００１】
本発明は、尿濡れを通知するシステムに関し、具体的にはおむつ等の吸収性物品における尿濡れを通知する尿濡れ通知システムに関する。
【背景技術】
【０００２】
特許文献１には、尿濡れを通知する機能を有するおむつが示されている。このおむつは、第１の不織布層と、第２の不織布層と、液体吸収層と、防水層と、２つの帯状電極と、２つのスナップ端子とを有する。第１の不織布層は、表面が人体に当てられ、その表面で吸収した尿を裏面に伝える。２つの帯状電極は、第１の不織布層の裏面に設けられ、第１の不織布層の裏面に尿が伝わるとその尿を介して互いに通電するように構成されている。第２の不織布層は、第１の不織布層との間に帯状電極を挟みこむように、一面が第１の不織布層の裏面に付着しており、第１の不織布層の裏面に伝わった尿をその一面で吸収して該一面の反対面に伝える。液体吸収層は、第２の不織布層の反対面に貼設されており、第２の不織布層に伝わった尿を吸収する。防水層は、透水性を有しないように構成された層であり、液体吸収層から尿が外部に染み出さないように液体吸収層を覆うように貼設されている。２つのスナップ端子は、それぞれが各帯状電極に接続されている。
【０００３】
以上の構成を有するおむつによれば、外部の電流検出装置が有するスナップ端子を、おむつのスナップ端子にそれぞれ連結すると、排尿が有った際に、帯状電極同士が通電することで電流が検出され、即ち排尿が有った事が検出され、これを保護者に通知することができる。
【０００４】
しかしながら、電流の検出には電源が必要であり、電流検出装置内に配置されている電池の残量が不足すると、排尿が有っても通知できなくなる。また、おむつは通常使い捨てであるが、帯状電極やスナップ端子といった金属部材がおむつ側に備えられているので、製造単価が上がるという問題もある。
【０００５】
そこで本願発明者は、上記問題点を解決するべく特許文献２に示された尿濡れ通知システムを提案した。これは、おむつに対して着脱可能にクリップ状に形成された尿検出装置と、尿検出装置と無線通信可能な通知装置とで構成されるシステムであり、尿検出装置及び通知装置のそれぞれが電池残量検知機能を有するように構成されていることで、電池残量が不足した際に通知を発することができる。
【先行技術文献】
【特許文献】
【０００６】
【特許文献１】台湾登録実用新案第Ｍ４０３３２７号明細書
【特許文献２】台湾登録実用新案第Ｍ４６３５７９号明細書
【発明の概要】
【発明が解決しようとする課題】
【０００７】
しかしながら、上述の尿濡れ通知システムは、排尿が有ったことを検知して保護者に通知できるのみであり、保護者に対する使用利便性の点では、未だ改良の余地が残る。これに鑑みて、本願発明者は、尿濡れ通知システムに、検尿の機能も備えさせることができないかと思い至り、鋭意研究を重ねた。
【０００８】
そこで、本発明の目的は、尿濡れを通知するとともに尿を検査することができ且つ使い勝手がよいシステムを提供することにある。
【課題を解決するための手段】
【０００９】
上記目的を達成するため、本発明は以下の手段を提供する。
【００１０】
即ち、着用されると内側が着用者に面して該内側から前記着用者の尿を吸収する吸収性物品において用いられ、尿濡れを通知するとともに尿を検査するシステムであって、
前記吸収性物品の濡れを検知する湿度センサと、前記湿度センサを保持するように構成されたホルダーと、前記湿度センサに電気的に連結されたプロセッサと、前記プロセッサに電気的に連結された無線トランスミッタと、前記湿度センサ、前記プロセッサ及び前記無線トランスミッタを囲んで収めるケーシングと、を有し、前記湿度センサが前記吸収性物品の濡れを検知すると、前記プロセッサが前記無線トランスミッタを駆動して濡れ検知信号を無線発信するように構成された検知ユニットと、
前記ホルダーに取り外し可能に固定される第１の部位と、前記第１の部位の一端から折り返すように湾曲している第２の部位と、前記第２の部位の前記第１の部位から離れた端から延伸する第３の部位とを有し、前記第３の部位を前記吸収性物品の外側に配置し、前記第１の部位を前記ホルダーに固定するとともに前記吸収性物品の内側に配置して前記吸収性物品を前記第３の部位と前記第１の部位との間に挟みこむようにして前記検知ユニットを前記吸収性物品の内側に固定するように構成されたクリップと、
前記検知ユニットの前記無線トランスミッタが発する信号を受信する無線レシーバと、前記無線レシーバに電気的に連結されたコントローラと、前記コントローラに電気的に連結された通知モジュールとを有し、前記コントローラが前記無線レシーバを介して前記濡れ検知信号を受信すると、前記コントローラが前記通知モジュールを駆動して前記吸収性物品の濡れを外部に通知するように構成された通知ユニットと、
前記ホルダーに取り外し可能に設置され、前記吸収性物品の内側に配置されるシートと、前記シートに配置されていて尿を検査する尿検査パッチとを有する検査ユニットと、
を備えることを特徴とする、尿濡れを通知するとともに尿を検査するシステムを提供する。
【発明の効果】
【００１１】
上記手段によれば、検知ユニットと通知ユニットとを備えることにより、吸収性物品の濡れを検知して外部に通知することができることに加えて、検知ユニットのホルダーに取り外し可能に設置される検査ユニットを更に備えることで、吸収性物品の尿による濡れを検知して外部に通知できる一方で更に尿検査も行うことができる。よって、尿濡れを通知するとともに尿を検査することができ且つ使い勝手がよいシステムを提供することが可能となる。
【図面の簡単な説明】
【００１２】
【図１】本発明の尿濡れを通知するとともに尿を検査するシステムの第１の実施形態を示す斜視図である。
【図２】上記第１の実施形態の一部を示す分解斜視図である。
【図３】上記第１の実施形態における検知ユニットの一部と通知ユニットの構成を示すブロック図である。
【図４】上記第１の実施形態の一部の使用状態を示す部分断面説明図である。
【図５】本発明の尿濡れを通知するとともに尿を検査するシステムの第２の実施形態の一部を示す分解斜視図である。
【発明を実施するための形態】
【００１３】
以下、図面を参照しながら本発明の具体的な実施形態を説明する。
【００１４】
本発明に係る尿濡れを通知するとともに尿を検査するシステム（以下、単に「当該システム」とも言う）は、着用されると内側が着用者に面して該内側から着用者の尿を吸収する吸収性物品（いわゆるおむつ）において用いられ、吸収性物品の尿濡れを検知して外部に通知することができるだけでなく、更に尿を検査することができるように構成されたシステムである。
【００１５】
＜第１の実施形態＞
図１〜図４に、当該システムの第１の実施形態が示されており、その内、図１は全体を示す斜視図、図２は一部を示す分解斜視図、図３は下述する検知ユニット２の一部と通知ユニット４の構成とを示すブロック図、図４は当該システムの一部の使用状態を示す部分断面説明図である。
【００１６】
本実施形態において、当該システムは、検知ユニット２と、クリップ３と、通知ユニット４と、検査ユニット５（図２を参照）と、位置決め部材６とを備える。以下、各部の構成を説明する。
【００１７】
（検知ユニット２）
検知ユニット２は、主に図２及び図３に示されているように、吸収性物品の濡れを検知する湿度センサ２２と、リード線２８を介して湿度センサ２２に電気的に連結されたプロセッサ２４（図３を参照）と、プロセッサ２４に電気的に連結された無線トランスミッタ２５と、湿度センサ２２、プロセッサ２４及び無線トランスミッタ２５に電力を供給する電池２６と、電池２６及びプロセッサ２４に電気的に連結されていて電池２６の残量を計測する電池残量計測器２７とを有する。なお、図３においては電池２６と湿度センサ２２とを接続する電源ラインは図示を省略している。
【００１８】
検知ユニット２はまた、湿度センサ２２を保持できるように構成されたホルダー２１と、プロセッサ２４、無線トランスミッタ２５、電池２６及び電池残量計測器２７を囲んで収めるケーシング２３を有する。
【００１９】
ホルダー２１は、平板状の板状体２１１と、湿度センサ２２が取り付けられる方向に突出し、板状体２１１の周辺を囲むように形成された保持壁２１２とを有する。また、ホルダー２１には、板状体２１１と保持壁２１２とに囲まれている保持空間２１５と、保持壁２１２に形成されて保持空間２１５とホルダー２１の外部とを連通している開口２１６とが設けられている。本実施形態において、保持壁２１２は、互いに間隔（隙間２１４）を空けて板状体２１１の周辺に設けられた３つの壁部２１２１で構成されており、開口２１６は、壁部２１２１の内の１つを貫通するように形成された貫通孔２１３として構成されている。なお、図示における上端の隙間２１４は後述する突起部２２１を外部に突出させるために必要だが、保持壁２１２は、上端の隙間２１４を除いて周辺全体を囲むように形成しても差し支えない。
【００２０】
湿度センサ２２は、センサ部２２２と、センサ部２２２の一端から突起する突起部２２１とを有し、センサ部２２２が保持空間２１５に入れられて板状体２１１と保持壁２１２とに保持されるとともに、突起部２２１が保持壁２１２の壁部２１２１同士の隙間２１４からホルダー２１の外部に突出するようにホルダー２１に設置される。また、ホルダー２１に設置された湿度センサ２２は、突起部２２１を摘まんでホルダー２１から離れる方向に力を加えることで、ホルダー２１から取り外すことができる。
【００２１】
ケーシング２３は、プロセッサ２４と電気的に繋がっているソケット２３１を有する。湿度センサ２２とプロセッサ２４とを繋ぐリード線２８は、一端が湿度センサ２２に連結され、他端がプラグ２８１としてケーシング２３のソケット２３１に挿し込まれている。
【００２２】
（クリップ３）
クリップ３は、可撓性を有する材料によって環状に形成されたフレームを二つ折りにした形状を有するものであり、第１の部位３１と、第１の部位３１の一端から折り返すように湾曲している第２の部位３２と、第２の部位３２の第１の部位３１から離れた端から第１の部位３１と平行となるように延伸する第３の部位３３とを有する。図１に示すように、第１の部位３１はホルダー２１に取り外し可能に固定され、第３の部位３３はケーシング２３に取り外し可能に固定される。
【００２３】
本実施形態においては、第１の部位３１がホルダー２１の湿度センサ２２が取り付けられる面とは反対側に形成された挿入口に挿入されて固定されるように構成されている。また、第１の部位３１は、第１の部位３１がホルダー２１に挿入される方向と直交する方向である幅方向における広さが第３の部位３３よりも広く、第１の部位３１がその幅方向における弾性を有するように切り欠き３１１が設けられている。この切り欠き３１１が設けられていることにより、第１の部位３１をホルダー２１に挿入して固定する作業が容易になる。
【００２４】
（通知ユニット４）
通知ユニット４は、図３に示すように検知ユニット２の無線トランスミッタ２５が発する信号を受信する無線レシーバ４１と、無線レシーバ４１に電気的に連結されて、無線レシーバ４１から信号が入力されるコントローラ４２と、コントローラ４２に電気的に連結されて、コントローラ４２から出力された信号を受信する通知モジュール４３と、コントローラ４２に電気的に連結されて、コントローラ４２との間で信号が送受信される計時モジュール４４と、無線レシーバ４１、コントローラ４２、通知モジュール４３及び計時モジュール４４に電力を供給する電源４５とを有する。なお、図３においては電源４５からコントローラ４２に供給する電源ラインを除き図示を省略している。また、通知ユニット４には、コントローラ４２に電気的に連結されていて通知モジュール４３の駆動のオン／オフを制御するスイッチ４６を設けても差し支えない。
【００２５】
通知モジュール４３は、図１及び図３に示すように、光を発することができるランプ４３１と、音を発することができるスピーカー４３２とを有する。
【００２６】
なお、検知ユニット２の無線トランスミッタ２５と通知ユニット４の無線レシーバ４１との間の電波周波数は、出荷時にプリセットされていてもよいし、あるいは使用者がチューナーで必要に応じて調整できるようにしてもよい。
【００２７】
（検査ユニット５）
図２に示すように、検査ユニット５は、可撓性を有する材料（本実施形態ではシリコーン）から構成されていて、検知ユニット２のホルダー２１に取り外し可能に設置されるシート５１と、シート５１に配置される尿検査パッチ５２とを有する。
【００２８】
シート５１は、主に図２に示されているように、ホルダー２１の開口２１６、即ち貫通孔２１３から保持空間２１５に挿入される挿入部５１１と、挿入部５１１が保持空間２１５に挿入された際に貫通孔２１３からホルダー２１の外部に突き出るように挿入部５１１から延伸して形成された突出部５１２とを有し、尿検査パッチ５２は、シート５１の突出部５１２に複数（図示では３つ）が互いに間隔を空けて配置されている。また、シート５１の挿入部５１１が保持空間２１５に挿入されている状態で湿度センサ２２がホルダー２１に上述のように保持されると、挿入部５１１が湿度センサ２２とホルダー２１の板状体２１１との間に挟持される。
【００２９】
尿検査パッチ５２は、例えば尿中のタンパク質、潜血、亜硝酸、白血球、グルコース、アスコルビン酸、ケトン類、ビリルビン、ウロビリノーゲンの量や、尿の比重、ｐＨ値をそれ自体で検査できるように構成されたものでもよく、あるいは、上記に例挙した検査項目を検査できる検査機器に供するため単に尿を収集するものであってもよい。これら検査項目の結果によって、吸収性物品の着用者に腎臓、尿道、肝臓、胆嚢の疾患、糖尿病、代謝異常などがないか検査することができる。なお、尿検査パッチ５２は、本実施形態ではシート５１に複数配置されているが、これに限らず少なくとも１つ配置されればよい。また、各尿検査パッチ５２はシート５１に剥離可能に貼り付けられており、交換が必要な際にはシート５１から剥がして新しい尿検査パッチ５２を貼り付けることができる。
【００３０】
また、シート５１の突出部５１２の挿入部５１１から離れた端（図示における下端）には、シリコーンで構成されるとともに、角が丸みを帯びた形状を有するカバー５３が被せられている。カバー５３が覆うのは突出部５１２の端部のみであり、突出部５１２に配置されている尿検査パッチ５２は覆わない。カバー５３が設けられることで、使用に際してシート５１の端部が吸収性物品の着用者の皮膚に当たることが防がれる。
【００３１】
（位置決め部材６）
位置決め部材６は、クリップ３の第２の部位３２（湾曲部位）に被さるように設置されている。位置決め部材６にはガイド溝６１が設けられていて、検知ユニット２の湿度センサ２２とプロセッサ２４を繋ぐリード線２８はこのガイド溝６１に嵌め込まれている。
【００３２】
以下、上記構成を備える当該システムの使用状態及び動作を説明する。
【００３３】
使用に際しては、図４に示すように、検査ユニット５のシート５１及び検知ユニット２の湿度センサ２２が設置されたホルダー２１にクリップ３の第１の部位３１を固定した状態で、クリップ３の第１の部位３１を吸収性物品７の内側（着用者８側）に配置する一方、第３の部位３３を吸収性物品７の外側に配置して、第３の部位３３と第１の部位３１とで吸収性物品７を挟み込むようにする。これにより、湿度センサ２２及び検査ユニット５が吸収性物品７の内側に固定されるとともに、ケーシング２３が吸収性物品７の外側に配置される使用状態となる。なお、クリップ３を吸収性物品７に固定する位置は、着用者８の鼠蹊部付近が望ましい。図１及び図３に示す通知ユニット４は、無線レシーバ４１が検知ユニット２の無線トランスミッタ２５が発する信号を受信できる範囲にあればよく、例えば着用者８の保護者が携帯してもよいし、病院におけるナースステーション等の特定の場所に設置されてもよい。
【００３４】
上記使用状態で、湿度センサ２２が着用者８の排尿による吸収性物品７の濡れを検知すると、濡れ検知信号がリード線２８を介してプロセッサ２４に送信され、これを受けたプロセッサ２４は無線トランスミッタ２５を駆動して濡れ検知信号を無線発信する。
【００３５】
通知ユニット４の無線レシーバ４１は濡れ検知信号を受信するとこれをコントローラ４２に送信する。コントローラ４２は濡れ検知信号を受信すると、通常通知モードとして動作し通知モジュール４３を駆動して、即ち通知モジュール４３が有するランプ４３１とスピーカー４３２の一方又は双方を駆動して、吸収性物品７の濡れを光や音で外部に通知する。この通知により着用者８の保護者に吸収性物品７の交換を促すことができる。
【００３６】
また、この通常通知モードにおいてコントローラ４２は、通知モジュール４３の駆動開始と同時に計時モジュール４４を駆動して通知モジュール４３の駆動開始からの時間を計測し、所定の時間が経過すると通知モジュール４３の駆動を停止する。
【００３７】
更に、通知モジュール４３の駆動が停止されてから所定の時間が経過する前に、湿度センサ２２により吸収性物品７の濡れが検知されて通知ユニット４のコントローラ４２が再び濡れ検知信号を受信すると（即ち通知モジュール４３が吸収性物品７の濡れを通知した後も吸収性物品７が交換されないと）、コントローラ４２は上記通常通知モードと異なる循環通知モードとして動作し、コントローラ４２が濡れ検知信号を受信しなくなるまで（即ち吸収性物品７が交換されるまで）、通知モジュール４３の駆動を断続的に繰り返す。
【００３８】
なお、本実施形態において、通知ユニット４はコントローラ４２と計時モジュール４４とを別々に有するが、コントローラ４２そのものに上述した計時モジュール４４の機能を統合させた構成とすることも可能である。
【００３９】
また、本実施形態における当該システムでは、検知ユニット２の湿度センサ２２、プロセッサ２４及び無線トランスミッタ２５に電力を供給する電池２６の残量が電池残量計測器２７により計測されており、電池２６の残量が所定量以下であることを計測すると、電池残量不足信号をプロセッサ２４に送信する。プロセッサ２４は無線トランスミッタ２５を駆動してこの電池残量不足信号を無線発信する。通知ユニット４のコントローラ４２は無線レシーバ４１を介して電池残量不足信号を受信すると、濡れ検知信号を受信した際と同様に、通常通知モードとして動作し通知モジュール４３を駆動して電池２６の残量不足を外部に通知する一方、通知モジュール４３の駆動開始と同時に計時モジュール４４を駆動して通知モジュール４３の駆動開始からの時間を計測し、所定の時間が経過すると通知モジュール４３の駆動を停止する。
【００４０】
そして、通知モジュール４３の駆動が停止されてから所定の時間が経過する前に、通知ユニット４のコントローラ４２が再び電池残量不足信号を受信すると（即ち通知モジュール４３が電池残量不足を通知した後も電池２６が交換されないと）、コントローラ４２は循環通知モードとして動作し、コントローラ４２が電池残量不足信号を受信しなくなるまで（即ち電池２６が交換されるまで）、通知モジュール４３の駆動を断続的に繰り返す。
【００４１】
なお、本実施形態において通知ユニット４は、電源４５の電力が不足した際にも、コントローラ４２が通知モジュール４３を駆動して電源４５の電力不足を外部に通知できるように構成されている。
【００４２】
更に、通知モジュール４３が駆動されている際に、スイッチ４６を切ることにより、その駆動を停止させることができる。なお、コントローラ４２が通常通知モードで通知モジュール４３を駆動している際にスイッチ４６を切って通知モジュール４３の駆動を停止した場合は、通常通知モードにおいて所定の時間の経過後に通知モジュール４３の駆動が停止された場合と同様に、その後所定の時間が経過する前に再び濡れ検知信号又は電池残量不足信号が受信されると、コントローラ４２は上述の循環通知モードとして動作する。
【００４３】
一方、上述の使用状態で、吸収性物品７の着用者に排尿があった際には、吸収性物品７の内側に配置されている検査ユニット５の尿検査パッチ５２がその尿に接触する。例えば、検査結果により変色する試薬を含むものを尿検査パッチ５２として用いた場合、尿と接触した後の尿検査パッチ５２の色を、例えばカラーチャートと対比することにより、吸収性物品７の着用者の尿に異常が無いか知ることができる。また、尿検査パッチ５２により採集された尿を細菌培養に供することも可能である。
【００４４】
＜第２の実施形態＞
図５に当該システムの第２の実施形態が示されている。本実施形態は、下述する検知ユニット２のホルダー２１の保持壁２１２の構成と、保持壁２１２に形成されている開口２１６の構成とが第１の実施形態と異なる以外は、構成及び作用とも第１の実施形態と同様である。
【００４５】
保持壁２１２は、板状体２１１の四隅にそれぞれ設けられた４つの壁部２１２１で構成されており、開口２１６は、隣り合う２つの壁部２１２１の間の隙間２１４として構成されている。検査ユニット５のシート５１は、本実施形態では突出部５１２がこの隙間２１４を通ってホルダー２１の外部に突き出るようにホルダー２１に設置される。
【００４６】
以下、上記各実施形態による効果を説明する。
【００４７】
本発明に係る、尿濡れを通知するとともに尿を検査するシステムの上記各実施形態によれば、検知ユニット２をクリップ３によって吸収性物品７に設置するので、検知ユニット２及びクリップ３が吸収性物品７に対して着脱可能な上に、検知ユニット２をクリップ３から取り外すことも可能なので、使用後の洗浄、メンテナンス、部品交換が容易である。
【００４８】
また、検知ユニット２と通知ユニット４とにより、吸収性物品７に濡れが生じたことを外部に通知できることに加えて、検知ユニット２又は通知ユニット４への電力供給が不足した際にもそれを外部に通知することができるので、吸収性物品７に濡れが生じたにもかかわらず電力不足により通知モジュール４３が駆動されないといった不具合が防がれる。
【００４９】
更に、検査ユニット５を備えることにより、使用者（吸収性物品の着用者の保護者）に着用者の排尿の有無を知らせることができるだけでなく、着用者に特別な動作を要することなく検尿を行うことができ、使用者による着用者の健康診断に資することができる。このように尿検査の機能も備わることで、尿濡れを通知するとともに尿を検査でき且つ使い勝手がよいシステムを提供することが可能となる。
【００５０】
また、保持壁２１２を、第１の実施形態では隙間２１４を空けて３つの壁部２１２１で構成し、また第２の実施形態では隙間２１４を空けて４つの壁部２１２１で構成したので、突起部２２１を摘まんでホルダー２１から離れる方向に力を加えた際に、保持壁２１２が変形し易く、湿度センサ２２の着脱が容易である。更に、第１の実施形態では、壁部２１２１の内の１つを貫通するように形成された貫通孔２１３を介して保持空間２１５に挿入部５１１を挿入するので、検知ユニット２からシート５が離脱しにくい。
【００５１】
以上、本発明の好ましい実施形態を説明したが、本発明はこれに限定されるものではなく、その要旨を逸脱しない範囲で種々変更可能である。
【産業上の利用可能性】
【００５２】
本発明は、幼児用又は介護用のおむつに応用可能である。
【符号の説明】
【００５３】
２  検知ユニット
２１  ホルダー
２１１  板状体
２１２  保持壁
２１２１  壁部
２１３  貫通孔
２１４  隙間
２１５  保持空間
２１６  開口
２２  湿度センサ
２２１  突起部
２２２  センサ部
２３  ケーシング
２３１  ソケット
２４  プロセッサ
２５  無線トランスミッタ
２６  電池
２７  電池残量計測器
２８  リード線
２８１  プラグ
３  クリップ
３１  第１の部位
３１１  切り欠き
３２  第２の部位
３３  第３の部位
４  通知ユニット
４１  無線レシーバ
４２  コントローラ
４３  通知モジュール
４３１  ランプ
４３２  スピーカー
４４  計時モジュール
４５  電源
４６  スイッチ
５  検査ユニット
５１  シート
５１１  挿入部
５１２  突出部
５２  尿検査パッチ
５３  カバー
６  位置決め部材
６１  ガイド溝
７  吸収性物品
８  着用者
【図１】
2016182336.tif 000003
【図２】
2016182336.tif 000004
【図３】
2016182336.tif 000005
【図４】
2016182336.tif 000006
【図５】
2016182336.tif 000007